(57)【要約】【課題】飲料内容物詰カップ型容器の蓋体に装着して使用する補助具で、該蓋体の一部を簡易に開封することができると共に、蓋体の開口を定まった形状及び大きさで安定して行うことができるカップ型容器の開封補助具を提供する【解決手段】容器の上に取り付けられる開封具８を有し、基体７は開封具８の切刃２１を収容可能な高さを有する短筒状をなして下端で容器の上端縁部に係止可能な胴部と開封具８と協働して胴部の上部を閉じる天板１３とを有し、開封具８は下方に突出する切刃２１を備えた切刃支持体１８を有していて天板１３にヒンジ結合しており、切刃支持体１８をヒンジ１９の回転軸のまわりに変位させて蓋体４を切断して開封する【選択図】　　図１
2004123155.tif 000002
【特許請求の範囲】
【請求項１】
容器の開口部の縁部にシールしたフィルム状の蓋体で前記容器開口部を閉じたカップ容器の前記蓋体を切断開封する補助具であって、前記容器の上に取り付けられる基体と前記基体に変位可能に取り付けられた開封具とを有し、前記基体は前記開封具の切刃を収容可能な高さを有する短筒状をなして下端で前記容器の上端縁部に係止可能な胴部と前記開封具と協働して前記胴部の上部に位置する天板とを有し、前記開封具は下方に突出する前記切刃を備えた切刃支持体を有していて前記天板にヒンジ結合しており、前記切刃支持体を前記ヒンジの回転軸のまわりに前記変位させて前記蓋体を切断して開封するように構成したことを特徴とするカップ型容器の開封補助具。
【請求項２】
前記ヒンジの前記回転軸をはさんだ前記回転軸に垂直な方向の片側に前記切刃支持体が形成されていることを特徴とする請求項１記載のカップ型容器の開封補助具。
【請求項３】
前記ヒンジは前記天板と前記切刃支持体との間に形成された材料が薄肉化された可撓部によって構成されていることを特徴とする請求項１または２記載のカップ型容器の開封補助具。
【請求項４】
前記切刃支持体の上面は手指で押圧可能な押圧面になっていることを特徴とする請求項１、２または３記載のカップ型容器の開封補助具。
【請求項５】
前記押圧面上に滑り止め用の凹凸が形成されていることを特徴とする請求項１、２、３または４記載のカップ型容器の開封補助具。
【請求項６】
前記開封完了時における前記切刃の姿勢を鎖錠するロック機構を備え、前記ロック機構は嵌合可能なロック用突起とロック用受けとの二部材を有し、前記切刃支持体に前記二部材のうちの一方の部材を固定し、前記天板に前記二部材のうちの他方の部材を固定したことを特徴とする請求項１、２、３、４または５記載のカップ型容器の開封補助具。
【請求項７】
前記ヒンジの前記回転軸をはさんだ前記回転軸に垂直な方向の片側に前記切刃支持体が形成され他側に手指で摘み上げることが可能な摘み上げ部が形成され、前記切刃支持体と前記摘み上げ部は一体に形成されていることを特徴とする請求項１または２記載のカップ型容器の開封補助具。
【請求項８】
前記ヒンジは軸と前記軸を枢支する軸受とから構成されていて前記軸及び前記軸受のうちの一方が前記開封具上に形成され他方が前記天板上に形成されていることを特徴とする請求項１、２または７記載のカップ型容器の開封補助具。
【発明の詳細な説明】
【０００１】
【産業上の利用分野】
この発明はカップ型容器に充填された飲料内容物を飲む時や粒状内容物を取り出す時に、その容器を開封する場合に使用する開封補助具に関するものである。
【０００２】
【従来の技術】
飲料内容物を吸引する場合に使用する伸縮自在なストローを熱収縮する袋に入れ、カップ型容器の側面に袋ごと装着したものは、従来から良く知られている。
【０００３】
これは、ストローの先端が鋭角になっているため、その鋭利な先端で使用時に蓋体の一部を貫通し、そのまま飲み口（吸い口）として使用するものであり、蓋体への貫通機能、カップ側面への簡易な装着機能など、優れた機能を有している。
【０００４】
しかしながら、上記従来例のストロー付きカップ型容器は、主に冷たい飲料等を収容する容器として使用されており、これを例えばホットコーヒーのようなホット飲料を収容する容器として使用することはホット飲料をストローで飲む習慣がないこともあり、またストロー自身の耐熱性等への考慮からストロー付カップ型容器はホット飲料には適応していない。
【０００５】
一方、上記したストロー付きカップ型容器ではない一般的なタイプのホット飲料詰カップ型容器では、蓋体の一部をカップ上面のフランジから剥し、Ｕ状に開封し、これを飲み口としている。
【０００６】
しかるにこのフランジに接着された蓋体を剥す操作は必ずしも容易でなく、剥離時に手振れで内容物をあふれさせてしまう事故が発生する場合もある。また、蓋体を剥した跡のフランジの表面は粗面になっていて、唇が触れる時のざらざらした感触が良好でない。またその粗面に内容物が付着して残留し易く不衛生になり易い。さらにまたこの場合、蓋体を剥せば剥す程、開口部が相乗的に大きくなるので飲み口となる開口部の面積が一定にならない。このような飲み口の場合は、カップを傾けて内容液を飲もうとする場合、想定した量よりも多くの量が開口部から流出する可能性があり、こぼれたり、あふれたりする可能性がある。
【０００７】
容器の内容物が粒状体である場合も、振り出し量を一定にするために開口部の形状や大きさが一定になることが望ましい。
【０００８】
この発明の出願人は先に、カップ型容器に取り付けた開封補助具によってフィルム状の蓋体を切り裂いて開封することを提案した。この提案された開封補助具によってカップ型容器の開封が容易になったのであるが（特願２００２−１３５６６２号参照）、さらに操作を容易にし、蓋体の開口を安定して行うことができる開封補助具の改良が望まれている。
【０００９】
【課題】
この発明は上記の如き事情に鑑みてなされたものであって、飲料内容物詰カップ型容器の蓋体に装着して使用する補助具で、該蓋体の一部を簡易に開封することができると共に、構造が簡単で取り扱いが容易であり、口唇が接触するときの感触が良好で衛生的でもあり、該開封箇所を飲み口として使用したときに飲み易い一定形状の飲み口を構成し、ホット飲料にも冷たい飲料にも使用することができ、蓋体の開口を定まった形状及び大きさで安定して行うことができるカップ型容器の開封補助具を提供することを目的とするものである。
【００１０】
【解決手段】
この目的に対応して、この発明のカップ型容器の開封補助具は、容器の開口部の縁部にシールしたフィルム状の蓋体で前記容器開口部を閉じたカップ容器の前記蓋体を切断開封する補助具であって、前記容器の上に取り付けられる基体と前記基体に変位可能に取り付けられた開封具とを有し、前記基体は前記開封具の切刃を収容可能な高さを有する短筒状をなして下端で前記容器の上端縁部に係止可能な胴部と前記開封具と協働して前記胴部の上部に位置する天板とを有し、前記開封具は下方に突出する前記切刃を備えた切刃支持体を有していて前記天板にヒンジ結合しており、前記切刃支持体を前記ヒンジの回転軸のまわりに前記変位させて前記蓋体を切断して開封するように構成したことを特徴としている。
【００１１】
【実施例】
以下この発明の詳細を一実施例を示す図面について説明する。
開封補助具１ａは基体７と開封具８を具えている。基体７は胴筒１０及び天板１３を有する。胴筒１０は同心状に位置する内筒１１と外筒１２とからなる２重円筒体で、その中心方向高さは開封具８の後述する切刃を収納できる程度の短筒状である。
【００１２】
外筒１２の下端は容器本体３の上端のフランジ６の縁にアンダーカット２０を利用して係止可能である。この係止によって基体７が容器本体３に固定される。内筒１１はその下端でフランジ６の内縁寄り位置においてフィルム状の蓋体４を押さえることができ、これによって蓋体４の浮き上がりを抑えることができる。
【００１３】
胴筒１０には天板１３が取り付けられており、この天板１３は開封具８と協働して胴筒１０の上端を閉じている。すなわち天板１３は水平部分１４と取り付け部分１５と斜面部分１６とからなっている。水平部分１４は水平に張設されていて、ａ点からｂ点まで胴筒１０の上端開口部半分以上を覆っており、ｂ点からｃ点まで急傾斜の取付部分１５が設けられ、さらにｃ点から先端のｄ点まで緩傾斜の斜面部分１６が設けられている。先端のｄ点からｃ点を越える取付部分１５にかかる位置まで矩形の切り欠き部１７が切り欠き形成されており、この切り欠き部１７の上に切刃支持体１８が水平な姿勢で位置する。切刃支持体１８の高さ位置は斜面部分１６の位置よりも高い。切刃支持体１８は基端部においてヒンジ１９により取付部分１５に連結している。ヒンジ１９は天板１３と切刃支持体１８を構成する樹脂材料を薄肉にして可撓性を与えて構成しており、切刃支持体１８はこのヒンジ１９の回転軸を中心として切り欠き部１７を通して上下に揺動変位可能である。
【００１４】
切刃支持体１８の先端の下面には切刃２１が下方に突出して備えられている。また切刃支持体１８の下綿にはリブ２２が形成されていて、このリブ２２が切刃支持体１８と切刃２１を連結して切刃２１の取り付けを強固にしている。
【００１５】
切刃支持体１８の上面は手指で押圧可能な窪んだ曲面状をなす押圧面２３が形成されている。この押圧面２３を手指で下に押すと、切刃支持体１８がヒンジ１９に関して回転して容器本体３の蓋体４に向かって下方に変位する。
【００１６】
押圧面２３には滑り止めの凹凸を形成する条溝２４が形成されている。また開封完了時における切刃２１の姿勢を鎖錠するロック機構２９を切刃支持体８と天板１３との間に備えている。ロック機構２９は切刃支持体１８の下面からロック用突起２５が延出しており、これに対応してロック用突起２５が９０°回転変位した時にロック用突起２５と嵌合する位置でロック用受け２６が天板１３から下方に突出している。
【００１７】
このように構成された開封補助具１ａを用いた容器の開封動作は次の通りである。
まずカップ型容器２上に開封補助具１ａを載置し、わずかにカップ型容器２に押し付けて開封補助具１ａを固定する。開封補助具１ａの胴筒１０の外筒１２の下端のアンダーカット２０がカップ型容器２の上端のフランジ６の外縁に嵌着して開封補助具１ａがカップ型容器２に固定する。このとき開封補助具１ａの胴筒１０の内筒１１の下端が蓋体４の縁部を下に押して蓋体４を押さえ付けた状態になる。
【００１８】
次に切刃支持体１８の上面の押圧面２３を手指で下に押すと、切刃支持体１８がヒンジ１９を中心に下向きに回転し、切刃支持体１８に取り付けられている切刃２１が下方に変位し、蓋体４を突き刺し、初期開口を形成する。
【００１９】
引き続き切刃２１が下降し、蓋体４の切り裂きが進行し、開口面積が次第に大きくなる。切刃支持体１８が約９０°回転したところで、切刃２１の開口動作は終了し、切刃支持体１８のロック用突起２５が天板１３の水平部分１４から突出しているロック用受け２６に嵌合してロックされることによって、この開口の終了時の切刃２１の姿勢が保たれる。
【００２０】
これで、カップ型容器２内の液体は粒状体の内容物は蓋体４の形成された開口を通して注出可能となる。
【００２１】
この開封補助具１ａでは切刃支持体１８の可動範囲が約９０°でほぼ一定であるので、蓋体４に形成される開口の形状、大きさにも一定となり、内容物の注出状態も一定となって安定する。
【００２２】
図５から図７にはこの発明の他の実施例に係る開封補助具１ｂが示されている。
【００２３】
この開封補助具１ｂは切刃支持体１８ｂを駆動するためのカンチレバー機構を備えている点で前記の実施例の開封補助具１ａと異なっている。
【００２４】
以下の説明では開封補助具１ｂが開封補助具１ａと異なる構造上の特徴のみについて述べる。
【００２５】
すなわち、開封具８ｂは一体に形成されて連続している切刃支持体１８ｂと接続部３１及び摘み上げ部３２とを有している。切刃支持体１８と接続部３１との間にかけて補強用リブ３３が設けられており、また、接続部３１と切刃支持体１８ｂとの間にかけて補強用リブ３４が設けられている。開封具８は天板１３ｂとほぼ同じ高さ位置に配置されている。
【００２６】
基体７ｂの胴部１０には天板１３ｂが取り付けられており、天板１３ｂは開封具８ｂと協働して胴部１０の上端を閉じている。すなわち天板１３ｂは水平部分１４ｂと取り付け部分１５ｂと斜面部分１６ｂとからなっている。
【００２７】
斜面部分１６ｂの先端のｄ点から取り付け部分１５ｂを越えて水平部分１４ｂの途中のｅ点まで切り欠き部１７ｂが切り欠き形成されており、この切り欠き部１７ｂにほぼ嵌る状態で開封具８ｂが配置されている。
【００２８】
このとき、斜面部分１６ｂの切り欠き部には切刃支持体１８ｂが対応して位置し、水平部分１４ｂの切り欠き部には摘み上げ部３２が対応して位置する。
【００２９】
切刃支持体１８ｂの先端下面からは切刃２１ｂが突出しており、また、摘み上げ部３２の上下両面には滑り止め用の凹凸または条溝２４ｂが形成されている。
【００３０】
切り欠き部１７ｂの後端ｅと摘み上げ部３２の後端ｅとの間には手指が差し込める程度の間隙３５が存在する。開封具８ｂは天板１３ｂにヒンジ１９ｂによって回転可能に枢支されている。開封具８ｂの接続部３１の両側からヒンジ軸３６が外側に延出しており、取付部分１５ｂの切り欠き部１７ｂの両辺に軸受３７が形成されており、ヒンジ軸３６が軸受け３７に嵌合することによってヒンジ１９ｂが構成される。これによって開封具８ｂはヒンジ１９ｂを支点としたカンチレバーの機能を持つことになる。
【００３１】
このように構成された開封補助具１ｂを用いた容器の開封動作は次の通りである。
開封具８ｂの摘み上げ部３２を手指で上方に引き上げると、カンチレバーの作用により切刃支持体１８ｂの切刃２１ｂが下降して、蓋体４を突き刺し開口する。この開封具８ｂはカンチレバーの作用を利用するので、小さな力で蓋体４を開口することができる。
【００３２】
【発明の効果】
この発明の開封補助具では、切刃支持体１８、１８ｂの切刃２１、２１ｂが定められた大きさ及び形状に蓋体４を切断して開封するので、開口が予想外の大きさ、形状となることがなく、内容物の流れ出し位置や注出量が想定された範囲となるので、注出時に内容物がこぼれたり、あふれたりする事故が発生することはない。さらにこの開封補助具は予めカップ容器に取り付けておけば、カップ容器の上端の容器蓋体を覆うことになるので、容器蓋体の衛生性を保つので、ひいては内容物の衛生を保つことになる。
【００３３】
以上の説明から明らかな通り、この発明によれば、カップ型容器の蓋体の一部を簡易に開封することができると共に、この開封箇所を飲み口として使用したときに、飲み易い形状の飲み口を構成するカップ型容器のホット飲料にも冷たい飲料にも使用することができる開封補助具を得ることができる。
【００３４】
【図面の簡単な説明】
【図１】開封補助具の平面図。
【図２】開封補助具の縦断面図。
【図３】開封補助具の使用状態の平面図。
【図４】開封補助具の使用状態の縦断面図。
【図５】他の開封補助具の平面図。
【図６】他の開封補助具の縦断面図。
【図７】他の開封補助具の使用状態の平面図。
【図８】他の開封補助具の使用状態の縦断面図。
【符号の説明】
１ａ、１ｂ　　開封補助具
２　　　　　　カップ型容器
３　　　　　　容器本体
４　　　　　　蓋体
５　　　　　　開口部
６　　　　　　フランジ
７、７ｂ　　　基体
８、８ｂ　　　切刃支持体
１０　　　　　胴筒
１１　　　　　内筒
１２　　　　　外筒
１３、１３ｂ　天板
１４、１４ｂ　水平部分
１５、１５ｂ　取付部分
１６、１３ｂ　斜面部分
１７　　　　　切り欠き部
１８、１８ｂ　切刃支持体
１９、１９ｂ　ヒンジ
２０　　　　　アンダーカット
２１、２１ｂ　切刃
２２　　　　　リブ
２３　　　　　押圧面
２４、２４ｂ　条溝
２５　　　　　ロック用突起
２６　　　　　ロック用受け
３１　　　　　接続部
３２　　　　　摘み上げ部
３３　　　　　補強用リブ
３４　　　　　補強用リブ
３５　　　　　間隙
３６　　　　　ヒンジ軸
【図１】
2004123155.tif 000003
【図２】
2004123155.tif 000004
【図３】
2004123155.tif 000005
【図４】
2004123155.tif 000006
【図５】
2004123155.tif 000007
【図６】
2004123155.tif 000008
【図７】
2004123155.tif 000009
【図８】
2004123155.tif 000010